(57)【要約】【課題】フラッシング回復動作を昇温不吐が発生していない状態で確実に行うとともに、フラッシング回復動作の時間短縮を可能とするインクジェット記録装置及びその制御方法を提供する。【解決手段】フラッシング回復シーケンスにおいて、Ｓ４０７のトリガー温度決定シーケンスでは、フラッシングセル数が多い、つまり、不吐温度は低いほど、昇温回復のトリガー温度は低く設定される。また、フラッシングセルが隣接の状態は、フラッシングセルが非隣接の状態と比べ、フラッシング回復動作時の昇温速度が比較的速いため、昇温不吐が発生しないように、昇温回復のトリガー温度は低く設定される。これにより、フラッシングシーケンスが、昇温不吐が発生していない状態で確実に行われるとともに、フラッシング回復を最短時間、かつ、効率的に行うことができる。【選択図】図４
2020090023.tif 000002
【特許請求の範囲】
【請求項１】
複数のノズルが配列方向に沿って配列され、前記ノズル内部に設けられる発熱素子で発生した熱エネルギーを利用してインクを吐出させる記録ヘッドを備えるインクジェット記録装置であって、
前記記録ヘッドのインク吐出性能を回復させるフラッシング回復手段を備え、
前記フラッシング回復手段は、
前記記録ヘッドの前記複数のノズルを等間隔ごとにまとめた制御単位をセルとし、該セル毎にフラッシング回復が必要とされるフラッシングセルであるのかが判定されるフラッシングセル判定手段と、
前記フラッシングセルの数及び前記フラッシングセルの隣接の有無に応じて、昇温回復の閾値温度が決定される昇温回復温度決定手段と、
前記フラッシングセルの温度が前記昇温回復の閾値温度以下の場合に、前記フラッシングセルに対してフラッシング回復が実行されるフラッシング手段と、
前記フラッシング手段により、前記フラッシングセルの温度が前記昇温回復の閾値温度を超える場合に、前記フラッシングセルが冷却される昇温回復手段と、
を備えることを特徴とするインクジェット記録装置。
【請求項２】
前記昇温回復温度決定手段は、前記フラッシングセルの数が多くなるにともない、前記昇温回復の閾値温度が低くなるように決定されることを特徴とする請求項１に記載のインクジェット記録装置。
【請求項３】
前記昇温回復温度決定手段は、前記フラッシングセルの数が同一の場合には、前記フラッシングセルの隣接がある状態は、前記フラッシングセルの隣接がない状態と比べ、前記昇温回復の閾値温度が低くなるように決定されることを特徴とする請求項１又は請求項２に記載のインクジェット記録装置。
【請求項４】
前記フラッシング手段は、
前記フラッシングセルが複数であるとき、
前記インクジェット記録装置の環境温度が閾値環境温度に達していない場合には、全ての前記フラッシングセルに対してフラッシング回復を同時に実行させる一方、前記環境温度が前記閾値環境温度に達している場合には、複数の前記フラッシングセルを隣接しない前記フラッシングセルの組み合わせへと分割し、それぞれの組み合わせに対して、フラッシング回復を実行させることを特徴とする請求項１から３のいずれか一項に記載のインクジェット記録装置。
【請求項５】
複数のノズルが配列方向に沿って配列され、前記ノズル内に設けられる発熱素子で発生した熱エネルギーを利用してインクを吐出させる記録ヘッドを備えるインクジェット記録装置の制御方法であって、
前記記録ヘッドのインク吐出性能を回復させるフラッシング回復ステップを備え、
前記フラッシング回復ステップは、
前記記録ヘッドの前記複数のノズルを等間隔ごとにまとめた制御単位をセルとし、該セル毎にフラッシング回復が必要とされるフラッシングセルであるのかが判定されるフラッシングセル判定ステップと、
前記フラッシングセルの数及び前記フラッシングセルの隣接の有無に応じて、昇温回復の閾値温度が決定される昇温回復温度決定ステップと、
前記フラッシングセルの温度が前記昇温回復の前記閾値温度以下の場合に、前記フラッシングセルに対してフラッシング回復が実行されるフラッシングステップと、
前記フラッシングステップにより、前記フラッシングセルの温度が前記昇温回復の閾値温度を超える場合に、前記フラッシングセルが冷却される昇温回復ステップと、
を備えることを特徴とするインクジェット記録装置の制御方法。
【請求項６】
前記昇温回復温度決定ステップは、前記フラッシングセルの数が多くなるにともない、前記昇温回復の閾値温度が低くなるように決定されることを特徴とする請求項５に記載のインクジェット記録装置の制御方法。
【請求項７】
前記昇温回復温度決定ステップは、前記フラッシングセルの数が同一の場合には、前記フラッシングセルの隣接がある状態は、前記フラッシングセルの隣接がない状態と比べ、前記昇温回復の閾値温度が低くなるように決定されることを特徴とする請求項５又は請求項６に記載のインクジェット記録装置の制御方法。
【請求項８】
前記フラッシングステップは、
前記フラッシングセルが複数であるとき、
前記インクジェット記録装置の環境温度が閾値環境温度に達していない場合には、全ての前記フラッシングセルに対してフラッシング回復を同時に実行する一方、環境温度が前記閾値環境温度に達している場合には、複数の前記フラッシングセルを隣接しない前記フラッシングセルの組み合わせへと分割し、それぞれの組み合わせに対して、フラッシング回復を実行されることを特徴とする請求項５から７のいずれか一項に記載のインクジェット記録装置の制御方法。
【発明の詳細な説明】
【技術分野】
【０００１】
本発明は、フラッシング回復動作を備えるインクジェット記録装置及びその制御方法に関する。
【背景技術】
【０００２】
インクジェット記録装置には、発熱素子に通電させ、インク内に生じる気泡により、インク滴を吐出させるサーマル方式を採用したものがあるが、使用頻度が高い発熱素子上には、焦げと呼ばれる沈着異物が堆積する現象が生じていた。この焦げが発熱素子上に堆積すると、発熱素子で発生した熱エネルギーがインクに伝わりにくくなり、正常な吐出量や吐出速度でインク滴を吐出させることができず、画像品位を低下させるおそれがあった。
【０００３】
そこで、インクジェット記録装置では、記録ヘッドの吐出性能を良好に回復させるために、通常の記録動作時よりも高い駆動パルスを記録ヘッドに印加させるフラッシング回復動作を実行させているものがある。これにより、インク内に通常の記録動作時より大きい気泡を発生させるとともに、この気泡が消泡する際に生じる比較的強い圧力波等を利用し、発熱素子上の堆積する焦げを除去している。
【０００４】
しかしながら、フラッシング回復動作の実行により、記録ヘッドの温度は、通常の記録動作時よりも昇温し、ついに不吐温度を超えると、吐出ノズルでのメニスカス保持力が低下し、インク滴の不吐出が生じてしまう、いわゆる昇温不吐が発生するおそれがあった。そのため、フラッシング回復動作では、昇温不吐が発生しないように、不吐温度より低い閾値温度を決定し、この閾値温度を記録ヘッドの温度が超える場合には、記録ヘッドを冷却する昇温回復を実行している。
【０００５】
ここで、例えば、特許文献１では、記録ヘッドにおける全ての吐出ノズルに対して、フラッシング回復動作を実行するとともに、昇温不吐の発生を回避するために、全ての吐出ノズルに対して昇温回復を実行するものが記載されている。
【先行技術文献】
【特許文献】
【０００６】
【特許文献１】特開２００４−３１４４４４号公報
【発明の概要】
【発明が解決しようとする課題】
【０００７】
ここで、インクジェット記録装置には、記録領域の幅に対応するフルライン型の記録ヘッドを備えるものがあるが、この記録ヘッドでは、吐出ノズル毎の使用頻度のばらつきが比較的大きく、特定の吐出ノズル内に焦げの堆積が生じることがあった。このフルライン型の記録ヘッドに対して、特許文献１におけるフラッシング回復動作及び昇温回復を採用すると、焦げの堆積が生じる特定の吐出ノズルに対してだけでなく、全ての吐出ノズルに対してフラッシング回復動作及び昇温回復を実行することになる。これにより、多くの吐出ノズルを備えるフルライン型の記録ヘッドは、フラッシング回復動作により、記録ヘッドに多くの熱量が負荷され、昇温速度が比較的速くなるため、昇温回復の回数が多くなり、フラッシング回復動作の時間が長くなるおそれがあった。
【０００８】
そこで、本発明は、このような課題に鑑みてなされたものであり、フラッシング回復動作を昇温不吐が発生していない状態で確実に行うとともに、フラッシング回復動作の時間短縮を可能とするインクジェット記録装置及びその制御方法を提供することを目的とする。
【課題を解決するための手段】
【０００９】
上記課題を解決するために、本発明のインクジェット記録装置において、複数のノズルが配列方向に沿って配列され、前記ノズル内部に設けられる発熱素子で発生した熱エネルギーを利用してインクを吐出させる記録ヘッドを備えるインクジェット記録装置であって、前記記録ヘッドのインク吐出性能を回復させるフラッシング回復手段を備え、前記フラッシング回復手段は、前記記録ヘッドの前記複数のノズルを等間隔ごとにまとめた制御単位をセルとし、該セル毎にフラッシング回復が必要とされるフラッシングセルであるのかが判定されるフラッシングセル判定手段と、前記フラッシングセルの数及び前記フラッシングセルの隣接の有無に応じて、昇温回復の閾値温度が決定される昇温回復温度決定手段と、前記フラッシングセルの温度が前記昇温回復の閾値温度以下の場合に、前記フラッシングセルに対してフラッシング回復が実行されるフラッシング手段と、前記フラッシング手段により、前記フラッシングセルの温度が前記昇温回復の閾値温度を超える場合に、前記フラッシングセルが冷却される昇温回復手段と、を備えるものである。
【００１０】
上記課題を解決するために、本発明のインクジェット記録装置の制御方法において、複数のノズルが配列方向に沿って配列され、前記ノズル内に設けられる発熱素子で発生した熱エネルギーを利用してインクを吐出させる記録ヘッドを備えるインクジェット記録装置の制御方法であって、前記記録ヘッドのインク吐出性能を回復させるフラッシング回復ステップを備え、前記フラッシング回復ステップは、前記記録ヘッドの前記複数のノズルを等間隔ごとにまとめた制御単位をセルとし、該セル毎にフラッシング回復が必要とされるフラッシングセルであるのかが判定されるフラッシングセル判定ステップと、前記フラッシングセルの数及び前記フラッシングセルの隣接の有無に応じて、昇温回復の閾値温度が決定される昇温回復温度決定ステップと、前記フラッシングセルの温度が前記昇温回復の前記閾値温度以下の場合に、前記フラッシングセルに対してフラッシング回復が実行されるフラッシングステップと、前記フラッシングステップにより、前記フラッシングセルの温度が前記昇温回復の閾値温度を超える場合に、前記フラッシングセルが冷却される昇温回復ステップと、を備えるものである。
【発明の効果】
【００１１】
本発明によれば、フラッシング回復動作を昇温不吐が発生していない状態で確実に行うとともに、フラッシング回復動作の時間短縮を可能とするインクジェット記録装置及びその制御方法を提供することができる。
【図面の簡単な説明】
【００１２】
【図１】本発明の第１の実施形態に係るインクジェット記録装置の概略断面図である。
【図２】図１に示されるインクジェット記録装置における制御ユニットを説明するためのブロック図である。
【図３】第１の実施形態のフラッシング回復時における記録ヘッドについての説明であり、（a）記録ヘッドの下面概略図、（ｂ）フラッシング回復時の記録ヘッド温度の変化と昇温回復のトリガー温度の関係性を示すグラフである。
【図４】第１の実施形態のフラッシング回復シーケンスのフローチャートを示す図である。
【図５】第１の実施形態のトリガー温度決定シーケンスのフローチャートを示す図である。
【図６】第２の実施形態のフラッシングシーケンスのフローチャートを示すである。
【発明を実施するための形態】
【００１３】
以下、添付図面を参照して本発明の好適な実施形態を詳しく説明する。
【００１４】
（第１の実施形態）
＜インクジェット記録装置＞
図１は、本発明の第１の実施形態に係るインクジェット記録装置の概略断面図である。
【００１５】
インクジェット記録装置（以下、単に記録装置とも称する）１００は、プリンタケーブル１０３を介して情報処理装置としてのホストコンピュータ１０２に接続され、画像データ及び記録媒体に関する情報などを制御コマンドとして入力している。記録装置１００は、ロール状に巻かれている記録媒体である連続用紙１０１を給紙する給紙ユニット１１０と、連続用紙１０１を搬送する搬送ユニット１２０と、連続用紙１０１に記録を行う記録ユニット１３０と、制御ユニット２００（図２参照）と、を備えている。
【００１６】
まず、給紙ユニット１１０は、未使用の連続用紙１０１がセットされる用紙シャフト１１２と、駆動軸１１４ａを備えるロールモータ１１４と、用紙シャフト１１２及び駆動軸１１４ａに掛け回される給紙ベルト１１５と、を備える。ロールモータ１１４の回転方向Ａ（図１中の矢印Ａ）への回転駆動により、給紙ベルト１１５を介して、用紙シャフト１１２を回転方向Ｂ（図１中の矢印Ｂ）へと回転させる。これにより、連続用紙１０１が弛まないように張力を与えつつ、搬送方向Ｃ（図１中の矢印Ｃ）へと繰り出して搬送ユニット１２０に給紙する。また、ロールモータ１１４が回転方向Ａと反対方向に回転することにより、連続用紙１０１を用紙シャフト１１２へと巻き戻すことができる。
【００１７】
次に、搬送ユニット１２０は、搬送方向の上流側及び下流側に配置される従動ローラ対１２２及び搬送ローラ対１２３と、駆動軸１２４ａを備える搬送モータ１２４と、搬送ローラ対１２３及び駆動軸１２４ａに掛け回される駆動ベルト１２５と、を備える。さらに、搬送ユニット１２０は、エンコーダ１２７と、用紙センサ１２８と、画像形成位置に配置されプレート部材（不図示）との間に連続用紙１０１を固定保持するプラテン１２９と、を備える。従動ローラ対１２２は、従動ローラ１２２ａと、圧接ローラ１２２ｂと、を備え、それぞれのローラ１２２ａ，１２２ｂは、垂直方向に互いに圧接した状態で配置されている。また、従動ローラ１２２ａは、圧接ローラ１２２ｂよりも大径に形成されており、軸線が同軸上になるように一体的に設けられているエンコーダ１２７とともに回転方向Ｄ（図１中の矢印Ｄ）へと同軸回転する。連続用紙１０１が搬送方向Ｃに搬送されることにより、エンコーダ１２７は、従動ローラ１２２ａとともに、回転方向Ｄへと連続用紙１０１の搬送速度と同じ周速度で従動回転され、連続用紙１０１の搬送速度を検出する。このエンコーダ１２７から検出される連続用紙１０１の搬送速度は、制御ユニット２００に送信され、各種制御処理を実行する。搬送ローラ対１２３は、搬送ローラ１２３ａと、圧接ローラ１２３ｂと、を備え、それぞれのローラ１２３ａ，１２３ｂは、垂直方向に互いに圧接した状態で配置されている。搬送モータ１２４の回転方向Ｅ（図１中の矢印Ｅ）への回転駆動により、駆動ベルト１２５を介して、搬送ローラ１２３ａを回転方向Ｆ（図１中の矢印Ｆ）へと回転させる。これにより、搬送ローラ対１２３は、それぞれのローラ１２３ａ，１２３ｂ間に、給紙ユニット１１０から給紙される連続用紙１０１を挟み込んで引き出すようにして搬送する。さらに、用紙センサ１２８は、従動ローラ対１２２の搬送方向Ｃの下流側に配置され、連続用紙１０１のラベル毎の先端辺を検出する。このように、搬送ユニット１２０は、給紙ユニット１１０から給紙される連続用紙１０１を従動ローラ対１２２と搬送ローラ対１２３とで挟み込んで位置決め保持しつつ、プラテン１２９上を通過するように搬送し、記録装置１００の外部に搬出して排紙する。
【００１８】
本実施形態における連続用紙１０１は、ロール状であるが、これに限らず、例えば、蛇腹に折り曲げられた記録媒体、あるいは真直ぐな連続する記録媒体、枚葉にカットされた記録媒体であっても良く、また、紙以外の記録媒体であっても良い。
【００１９】
さらに、記録ユニット１３０は、記録ヘッド１３１と、記録ヘッド１３１と着脱可能であるインクタンク１３６と、キャップ１３３と、を備える。
【００２０】
記録ヘッド１３１は、連続用紙１０１に対しフルカラー記録を行うために、ブラック（Ｂｋ）、シアン（Ｃ）、マゼンタ（Ｍ）およびイエロー（Ｙ）の各色インクに別個の記録ヘッド１３１Ｂｋ，１３１Ｃ，１３１Ｍ，１３１Ｙを備え、移動可能に支持されている。この記録ヘッド１３１Ｂｋ，１３１Ｃ，１３１Ｍ，１３１Ｙは、連続用紙１０１の搬送方向Ｃの上流側から下流側に向かって順に配置されており、連続用紙１０１の搬送位置に同期させて各色インクを重ねるように吐出させることにより記録形成する。また、各記録ヘッド１３１には、連続用紙１０１の幅方向（搬送方向Ｃに直交する方向）に延在するノズル列が少なくとも１列以上配列されるように、複数個の吐出ノズル１３２（図３（ａ）参照）が設けられる。詳細は後述するが、記録ヘッド１３１は、ノズル列が延在する方向に沿って等間隔に分割された複数のセル（図３（ａ）参照）とともに、それぞれのセルには、記録ヘッド１３１内のインクの温度を検出するヘッド温度検出センサ１３７が設けられている。記録ヘッド１３１は、この吐出ノズル１３２が等間隔に分割されたセル毎に、記録動作やフラッシング回復動作などを個別に駆動して行う（図３（ａ）参照）。さらに、記録ヘッド１３１は、いわゆるサーマル方式を採用し、吐出ノズル１３２に連通するインク流路（不図示）内に発熱素子（例えば、ヒータ）を設け、発熱素子を通電させ、インク内に生じる気泡により、吐出ノズル１３２からインク滴を吐出させる。
【００２１】
本実施形態における記録ヘッド１３１は、フルラインヘッドの長尺形態のものであり、連続用紙１０１の最大の有効記録幅（搬送方向Ｃに直交する方向）よりもやや長いものを採用する。また、本実施形態における記録ヘッド１３１は、４色インク用の記録ヘッド１３１Ｂｋ，１３１Ｃ，１３１Ｍ，１３１Ｙを備えているが、これに限らず、例えば、ブラックインク用の記録ヘッド１３１Ｂｋのみを備えるものであっても良い。
【００２２】
インクタンク１３６は、記録ヘッド１３１の上部に着脱可能に設置され、各色インクを貯留するインクタンク１３６Ｂｋ、１３６Ｃ、１３６Ｍ、１３６Ｙを備えるとともに、各色インクに対応して組み合わされる記録ヘッド１３１に各色インクを供給する。
【００２３】
本実施形態におけるインクタンク１３６には、４色インク用のインクタンク１３６Ｂｋ、１３６Ｃ、１３６Ｍ、１３６Ｙが備えられているが、これに限らず、例えば、ブラックインク用のインクタンク１３６Ｂｋのみが備えられるものであっても良い。
【００２４】
キャップ１３３は、各色インク用の記録ヘッド１３１に対応して組み合わされるキャップ１３３Ｂｋ、１３３Ｃ、１３３Ｍ、１３３Ｙを備え、キャップ１３３は、各記録ヘッド１３１の吐出口形成面との間に閉塞空間を形成するために移動可能である。キャップ１３３が、各記録ヘッド１３１の吐出口形成面との間に閉塞空間を形成することにより、回復動作、不純物の付着防止及びインクの乾燥防止等を行うことができる。この回復動作は、発熱素子上の焦げ付き等を除去するために、通常の発熱素子への駆動パルスより高い駆動パルスを印加して吐出ノズル１３２よりインクを吐出するフラッシング回復を備える。また、回復動作は、キャップ１３３内にインクを吐出する予備吐出、キャップ１３３内を減圧し吐出ノズル１３２からインクを吸引する吸引回復、記録ヘッド１３１内のインクを加圧し吐出ノズル１３２からインクを排出する加圧回復を備えることができる。
【００２５】
＜制御系の構成＞
次に、本実施形態のインクジェット記録装置１００の制御系の構成を説明する。
【００２６】
図２を用いて、インクジェット記録装置１００における制御ユニット２００を説明する。ＣＰＵ２０６は、記録装置１００の各種指令の解析、記録データの受信、記録動作、回復動作など全般の制御をつかさどる演算処理装置である。ＣＰＵ２０６は、インターフェイスコントローラー２０１、プログラムＲＯＭ２０２、イメージメモリ２０３、ワークＲＡＭ２０４、ＥＥＰＲＯＭ２０５に通信可能に接続されている。さらに、ＣＰＵ２０６は、Ａ／Ｄコンバータ２０７、入出力回路（Ｉ／Ｏ）２０８及び入出力ポート（Ｉ／Ｏ）２０９に通信可能に接続されている。インターフェイスコントローラー２０１は、記録データや各種通信制御を実行指令等のやり取りをホストコンピュータ１０２とＣＰＵ２０６との間で通信可能に接続する。プログラムＲＯＭ２０２は、図４乃至図６などで後述されるフラッシング回復シーケンス等を示す制御フローチャートに対応する処理プログラムやその処理プログラムで使用する各種パラメータなどを格納する。イメージメモリ２０３は、ＣＰＵ２０６が受信した指令の解析結果に基づいて作成する画像データの各色のイメージデータがビットマップ展開される。ワークＲＡＭ２０４は、プログラムＲＯＭ２０２に格納されたプログラムに従い作業用メモリとして用いられる。ＥＥＰＲＯＭ２０５は、書き換え可能な不揮発性メモリであり、記録ヘッド１３１間の離隔距離や、連続用紙１０１への画像形成位置などの補正値などの各種情報と共に、各種制御処理時の実行時刻や実行条件などの各種更新情報を書き換えて保持する。Ａ／Ｄコンバータ２０７は、記録ヘッド１３１の各セルに設けられるヘッド温度検出センサ１３７を有するとともに、記録ヘッド１３１の駆動制御を行う記録ヘッド制御回路２１０と、温湿度センサ２１１とに接続されている。このヘッド温度検出センサ１３７及び温湿度センサ２１１によって計測されるセル毎のインクの温度信号、記録装置１００の雰囲気温度信号や湿度信号を、回復動作（例えば、フラッシング回復）制御等のためにＣＰＵ２０６にそれぞれ送信する。入出力回路（Ｉ／Ｏ）２０８は、用紙センサ１２８と、エンコーダ１２７とに接続されている。この用紙センサ１２８及びエンコーダ１２７によって計測される連続用紙１０１の先端検出信号、連続用紙１０１の搬送速度信号を、記録動作制御等のためにＣＰＵ２０６にそれぞれ送信する。入出力ポート（Ｉ／Ｏ）２０９は、各モータ１１４，１２４，２１３〜２１５への電力供給を実行して駆動制御を行うモータ駆動部２１２に接続されている。
【００２７】
記録前の動作処理として、ＣＰＵ２０６は、入出力ポート（Ｉ／Ｏ）２０９及びモータ駆動部２１２を介してヘッドモータ２１３及びキャッピングモータ２１４を駆動し、各記録ヘッド１３１が対応するキャップ１３３から離間する記録位置へと移動させる。ヘッドモータ２１３は、記録ヘッド１３１を昇降方向Ｇ（図１中の矢印Ｇ方向）に移動させるものであり、キャッピングモータ２１４は、キャップ１３３を搬送方向Ｃやその反対方向に移動させるものである。
【００２８】
次に、記録時の動作処理として、ＣＰＵ２０６は、入出力ポート（Ｉ／Ｏ）２０９及びモータ駆動部２１２を介してロールモータ１１４及び搬送モータ１２４を駆動し、連続用紙１０１が弛まないように張力を与えつつ、搬送方向Ｃの所望の位置まで移動させる。この連続用紙１０１の所望の位置は、ＣＰＵ２０６が、入出力回路（Ｉ／Ｏ）２０８を介して検出される用紙センサ１２８及びエンコーダ１２７からの連続用紙１０１の先端検出信号及び連続用紙１０１の搬送速度信号に基づいて調整する。並行して、ＣＰＵ２０６は、ホストコンピュータ１０２から受け取る記録データをイメージメモリ２０３内で各色にビットマップ展開した後、このビットマップ展開した記録データを読み出し、記録ヘッド制御回路２１０を介して、記録ヘッド１３１に転送する。連続用紙１０１の記録開始位置が、ブラックインク用の記録ヘッド１３１Ｂｋの下方に到達した後に、ブラック（Ｂｋ）のインクを選択的に吐出する。同様に、シアンインク用の記録ヘッド１３１Ｃ、マゼンタインク用の記録ヘッド１３１Ｍ及びイエローインク用の記録ヘッド１３１Ｙの順に、各色のインクを吐出する記録動作を行い、カラー画像を連続用紙１０１上に記録する。この際、ＣＰＵ２０６は、記録データと共に、連続用紙１０１の記録枚数、種類、サイズ、搬送速度、カット設定等の指令データを受け取り、記録ヘッド制御回路２１０やモータ駆動部２１２等を制御する。
【００２９】
また、回復動作処理として、ＣＰＵ２０６は、モータ駆動部２１２を介してヘッドモータ２１３及びキャッピングモータ２１４を駆動し、キャップ１３３が各記録ヘッド１３１の吐出口形成面との間に閉塞空間を形成する待機位置へと移動させる。その後、ＣＰＵ２０６は、ＥＥＰＲＯＭ２０５に格納されている各セルのノズル毎のフラッシングドットカウント等に基づいて、プログラムＲＯＭ２０２のフラッシング回復シーケンスに対応する処理プログラムに従って、フラッシング回復を行う。この際、ＣＰＵ２０６は、Ａ／Ｄコンバータ２０７及び記録ヘッド制御回路２１０を介して、ヘッド温度検出センサ１３７からセル毎のインクの温度信号を受信するとともに、記録ヘッド１３１を駆動する。また、ＣＰＵ２０６は、プログラムＲＯＭ２０２の吸引回復動作に対応する処理プログラムに従って、入出力ポート（Ｉ／Ｏ）２０９及びモータ駆動部２１２を介してポンプモータ２１５を駆動し、吸引回復等を行うことができる。
【００３０】
図３は、第１の実施形態のフラッシング回復時における記録ヘッドについての説明であり、（a）記録ヘッドの下面概略図、（ｂ）フラッシング回復時の記録ヘッド温度の変化と昇温回復のトリガー温度の関係性を示すグラフである。ここで、図３（ｂ）中の、黒塗りの丸形、三角形及び四角形は、２つのフラッシングセルが隣接（Ｓ１，Ｓ２）、２つのフラッシングセルが非隣接（Ｓ１，Ｓ４）及びフラッシングセルが１箇所の場合における、それぞれの昇温回復のトリガー温度を示している。また、図３（ｂ）中の、実線及び破線からなる横軸方向の直線は、１セルフラッシング及び２セルフラッシング状態における、それぞれの昇温不吐が発生する不吐温度Ｔｎ１，Ｔｎ２を示している。
【００３１】
＜記録ヘッドのセルについて＞
記録ヘッド１３１は、図３（ａ）に示すように、連続用紙１０１の幅方向（搬送方向Ｃに直交する方向）に延在するように、複数個の吐出ノズル１３２からなるノズル列を備える。このノズル列は、延在方向に沿って等間隔に４つのセルＳ１〜Ｓ４に分割され、それぞれのセルには、記録ヘッド１３１内のインクの温度を検出するヘッド温度検出センサ１３７（不図示）が設けられており、セル毎に、記録動作やフラッシング回復動作など行う。
【００３２】
本実施形態においては、ノズル列を１列とするとともに、セル数を４つとするものであるが、これに限らず、ノズル列を１列以上とするとともに、セル数を複数としても良い。
【００３３】
＜フラッシング回復時の記録ヘッド温度の変化について＞
図３（ｂ）に示すように、実線からなる曲線は、２つのフラッシングセルが隣接（Ｓ１，Ｓ２）する状態における、フラッシング回復動作時での単位時間当たりの記録ヘッド温度の変化を示す。また、破線からなる曲線は、２つのフラッシングセルが非隣接（Ｓ１，Ｓ４）の状態やフラッシングセルが１箇所の状態における、フラッシング回復動作時での単位時間当たりの記録ヘッド温度の変化が同一の挙動であることを示す。この記録ヘッド温度は、フラッシング回復動作を実行しているフラッシングセル内における記録ヘッド温度の最大値をプロットしたものである。
【００３４】
２つのフラッシングセルが隣接（Ｓ１，Ｓ２）する状態でフラッシング回復動作を行った場合、特に、フラッシングセル同士が隣接の領域におけるインクは、非フラッシングセルのインクにより冷却されることはないため、昇温速度が比較的速くなる。一方、２つのフラッシングセルが非隣接（Ｓ１，Ｓ４）の状態、又は、フラッシングセルが１箇所の状態でフラッシング回復動作を行った場合、フラッシングセルのインクは、隣接する非フラッシングセルのインクにより冷却されるため、昇温速度が比較的遅くなる。
【００３５】
＜不吐温度について＞
フラッシングセルにおける記録ヘッド温度が不吐温度を超え、インク粘性が低下すると、吐出ノズル１３２においてメニスカスの破壊が生じたり、記録ヘッド１３１の貯留インクにおいて溶存気泡の発泡が生じたりすることにより、不吐出となるおそれがある。この昇温不吐が発生する不吐温度は、フラッシングセル数、つまり、単位時間当たりのインクの供給量によって異なり、フラッシングセル数が多いほど、不吐温度は低くなる（図３（ｂ）中のＴｎ１，Ｔｎ２参照）。したがって、不吐温度は、フラッシングセル数、つまり、インクの供給量によって決定されるものであり、フラッシングセルが隣接又は非隣接の状態であるのか（図３（ｂ）中の実線又は破線からなる曲線参照）に左右されない。
【００３６】
＜昇温回復のトリガー温度について＞
昇温回復のトリガー温度は、昇温不吐が発生しないように、不吐温度より低く設定する必要がある。よって、フラッシングセル数が多い、つまり、不吐温度は低いほど、昇温回復のトリガー温度は低く設定される（図３（ｂ）中の黒塗りの丸形及び三角形参照）。また、２つのフラッシングセルが隣接する状態（Ｓ１，Ｓ２）は、フラッシングセルが非隣接の状態（Ｓ１，Ｓ４）と比べ、フラッシング回復動作時の昇温速度が比較的速いため、昇温不吐が発生しないように、昇温回復のトリガー温度は低く設定される必要がある。よって、フラッシング回復動作時における記録ヘッド温度の昇温速度が速いほど、昇温回復のトリガー温度は低く設定される（図３（ｂ）中の黒塗りの丸形及び三角形参照）。
【００３７】
ここで、図３（ｂ）に示される、各昇温回復のトリガー温度（図３（ｂ）中の黒塗りの丸形、三角形及び四角形参照）について比較する。
【００３８】
フラッシングセル数が２箇所で、フラッシングセルが隣接する状態（Ｓ１，Ｓ２）では、インクの供給量が比較的多く、フラッシング回復動作時の昇温速度が比較的速いため、最も低い昇温回復のトリガー温度に設定される（図３（ｂ）中の黒塗りの丸形参照）。
【００３９】
フラッシングセル数が２箇所で、フラッシングセルが非隣接の状態（Ｓ１，Ｓ４）では、インクの供給量が比較的多いが、フラッシング回復動作時の昇温速度が比較的遅いため、次に低い昇温回復のトリガー温度に設定される（図３（ｂ）中の黒塗りの三角形参照）。
【００４０】
フラッシングセル数が１個所の状態では、インクの供給量が比較的に少ないとともに、フラッシング回復動作時の昇温速度が比較的遅いため、最も高い昇温回復のトリガー温度に設定される（図３（ｂ）中の黒塗りの四角形参照）。
【００４１】
このように、フラッシングセル数と、フラッシングセルが隣接又は非隣接の状態であるのかに応じて、記録ヘッド１３１の昇温特性が異なるため、昇温回復のトリガー温度は、最適な温度を選択する必要がある。本実施形態において、セル数を４つとし、フラッシングセルをセルＳ１，Ｓ２、フラッシングセルをセルＳ１，Ｓ４、及び、フラッシングセルを１個所とした場合における、フラッシング回復時の記録ヘッド温度の変化及び昇温回復のトリガー温度を示した。しかしながら、これは単なる例示に過ぎず、フラッシングセル数が多い、又は、フラッシングセルが隣接の状態では、昇温回復のトリガー温度が低くなる傾向は変わらないことから、セル分割数等に応じて、昇温回復のトリガー温度を適宜設定できる。
【００４２】
＜フラッシング回復シーケンスについて＞
まず、図４に示す、記録ヘッド１３１毎に行われるフラッシング回復シーケンス（フラッシング回復手段）について説明する。記録装置１００の本体電源が入れられると、Ｓ４０１〜Ｓ４０３に進む。
【００４３】
Ｓ４０１〜Ｓ４０３では、記録データを受信した場合、記録動作が実行される。その後、Ｓ４０４に進む。
【００４４】
Ｓ４０４では、ＥＥＰＲＯＭ２０５に格納されている各セルのフラッシングドットカウントが取得される。フラッシングドットカウントは、記録動作時の累積吐出回数を吐出ノズル１３２毎にカウントしたものであり、各セルの最大値が取得される。その後、Ｓ４０５に進む。
【００４５】
Ｓ４０５（フラッシングセル判定手段）では、取得したフラッシングドットカウントを所定値（例えば、２×１０7）と比較する。フラッシングドットカウントが所定値以上であるセルが存在しない場合（ＮＯ）、発熱素子上に堆積している焦げ付き量が少なく、フラッシング回復を行う必要性が少ないと判定し、フラッシング回復シーケンスが終了される。これは、フラッシング回復では、通常の記録動作時よりも強い駆動パルスを印加するため、フラッシング回復を過剰に行うことによる、記録ヘッドの寿命に対する影響を回避するためである。一方、フラッシングドットカウントが所定値以上であるセルが存在する場合（ＹＥＳ）、発熱素子上に堆積している焦げ付き量が多く、インク滴の吐出速度や吐出量を低下させ、画像品位を劣化させるおそれがあると判定し、Ｓ４０６〜Ｓ４０７に進む。
【００４６】
Ｓ４０６〜Ｓ４０７では、フラッシング回復の実行命令を送信するとともに、詳細は後述するが、トリガー温度決定シーケンス（Ｓ５０１〜Ｓ５１１）を実行し、昇温回復のトリガー温度が決定される（図５参照）。その後、Ｓ４０８に進む。
【００４７】
Ｓ４０８では、各セルにおける記録ヘッド温度を検出する。少なくとも一つのセルの記録ヘッド温度が、決定された昇温回復のトリガー温度より高い場合（ＮＯ）、昇温不吐が発生しているおそれがあり、フラッシング回復による効果が低いと判定され、フラッシング回復シーケンスが終了される。一方、全てのセルの記録ヘッド温度が、決定された昇温回復のトリガー温度以下である場合（ＹＥＳ）、昇温不吐が発生しておらず、フラッシング回復による効果が高いと判定され、Ｓ４０９に進む。
【００４８】
Ｓ４０９では、記録動作時よりも高い駆動パルスを記録ヘッド１３１に印加させ、キャップ１３３内にインク滴を吐出させるフラッシングシーケンス（フラッシング手段）が実行される。フラッシングシーケンスの実行中にＳ４１０に進む。
【００４９】
Ｓ４１０では、フラッシングシーケンス中における記録ヘッド温度を監視するために、各セルにおける記録ヘッド温度を検出する。少なくとも一つのセルの記録ヘッド温度が、決定された昇温回復のトリガー温度より高い場合（ＮＯ）、昇温不吐が発生しているおそれがあり、フラッシング回復による効果が低いと判定され、フラッシング回復を中断し、Ｓ４１１に進む。Ｓ４１１では、記録ヘッド１３１を冷却させるために、記録ヘッド１３１内の吐出ノズル１３２のインクを吸引して、記録ヘッドを冷却する昇温回復（昇温回復手段）が行われる。その後、Ｓ４０９に進み、フラッシング回復を再開する。一方、全てのセルの記録ヘッド温度が、決定された昇温回復のトリガー温度以下である場合（ＹＥＳ）、昇温不吐が発生しておらず、フラッシング回復による効果が高いと判定され、Ｓ４１２に進む。
【００５０】
Ｓ４１２では、フラッシング回復を実行した発数を取得するとともに、取得したフラッシングを実行した発数を所定発数（例えば、１×１０5）と比較する。フラッシングを実行した発数が所定発数に達していない場合（ＮＯ）、発熱素子上に堆積している焦げ付きを除去するために実行されたフラッシング回復が不十分であると判定し、Ｓ４０９に進み、フラッシング回復を継続する。一方、フラッシングを実行した発数が所定発数に達している場合（ＹＥＳ）、発熱素子上に堆積していた焦げ付きが除去されたと判定し、Ｓ４１３にすすむ。
【００５１】
Ｓ４１３では、フラッシングシーケンスが実行されたセルにおいて、フラッシングドットカウントがリセットされるとともに、フラッシング回復シーケンスが終了される。
【００５２】
本実施形態のフラッシング回復シーケンスにおいて、フラッシングシーケンスを実行時に、記録動作の実行指令を受信した場合は、フラッシングシーケンスを中断させ、記録動作を優先して実行し、記録動作の終了後に、フラッシングシーケンスを再開しても良い。また、本実施形態におけるフラッシングドットカウントの所定値は、例示として、２×１０7とするものであり、インク種類や記録動作時の駆動パルス等によって、発熱素子への焦げ付き方は異なるため、これに応じて適宜設定して良い。さらに、本実施形態におけるフラッシングシーケンスが実行される所定発数は、例示として、１×１０5とするものであり、インク種類や記録動作時の駆動パルス等に応じて適宜設定して良い。本実施形態における昇温回復は、全ての吐出ノズル１３２に対してキャップ１３３を介して、吐出ノズル１３２内のインクを同時に吸引することにより、記録ヘッド１３１を冷却するものである。しかしながら、これに限らず、例えば、キャップ１３３により各セルに対応する個別な閉塞空間を形成し、トリガー温度より記録ヘッド温度が高いフラッシングセルの閉塞空間に対してのみ吸引可能な形態とすることにより、セル毎に昇温回復を実行しても良い。
【００５３】
＜トリガー温度決定シーケンス＞
次に、図５を用いて、フラッシング回復シーケンスにおけるトリガー温度決定シーケンス（昇温回復温度決定手段）を説明する。
【００５４】
Ｓ５０１では、フラッシングドットカウントが所定値以上であるセルの数、つまり、フラッシングセル数を所定数（例えば、４つ）と比較する。フラッシングセル数が４つである場合（ＹＥＳ）、フラッシングセル数が多く隣接する状態、つまり、インクの供給量が多く、フラッシング回復動作時の昇温速度が比較的速い状態であると判定し、Ｓ５０２に進む。Ｓ５０２では、各昇温回復のトリガー温度（閾値温度）の中で最も低い５０℃に設定されるとともに、トリガー温度決定シーケンスが終了される。一方、フラッシングセル数が４つでない場合（Ｓ５０１：ＮＯ）、フラッシングセル数を検出するために、Ｓ５０３に進む。
【００５５】
Ｓ５０３では、フラッシングドットカウントが所定値以上であるセルの数、つまり、フラッシングセル数を所定数（例えば、３つ）と比較する。フラッシングセル数が３つである場合（ＹＥＳ）、フラッシングセル数が多い、つまり、インクの供給量が多い状態であると判定し、Ｓ５０４に進む。一方、フラッシングセル数が３つでない場合（Ｓ５０３：ＮＯ）、フラッシングセル数が多くない、つまり、インクの供給量が多くないと判定し、Ｓ５０７に進む。
【００５６】
Ｓ５０４では、フラッシングセル同士が隣接するのかを判定する。フラッシングセルの隣接がある場合（ＹＥＳ）、フラッシング回復動作時の昇温速度が比較的速いと判定し、Ｓ５０５に進む。Ｓ５０５では、各昇温回復のトリガー温度の中で二番目に低い５５℃に設定されるとともに、トリガー温度決定シーケンスが終了される。一方、フラッシングセルの隣接がない場合（Ｓ５０４：ＮＯ）、フラッシング回復動作時の昇温速度が比較的遅いと判定し、Ｓ５０６に進む。Ｓ５０６では、各昇温回復のトリガー温度の中で三番目に低い６０℃に設定されるとともに、トリガー温度決定シーケンスが終了される。
【００５７】
Ｓ５０７では、フラッシングドットカウントが所定値以上であるセルの数、つまり、フラッシングセル数を所定数（例えば、２つ）と比較する。フラッシングセル数が２つでない場合（ＮＯ）、フラッシングセル数が１つ、つまり、インクの供給量が少なく、フラッシング回復動作時の昇温速度が比較的遅い状態であると判定し、Ｓ５１１に進む。Ｓ５１１では、各昇温回復のトリガー温度の中で最も高い７５℃に設定されるとともに、トリガー温度決定シーケンスが終了される。一方、フラッシングセル数が２つである場合（Ｓ５０７：ＹＥＳ）、フラッシングセル数が全体の半分、つまり、インクの供給量が中程度と判定し、Ｓ５０８に進む。
【００５８】
Ｓ５０８では、フラッシングセル同士が隣接するのかを判定する。フラッシングセルの隣接がある場合（ＹＥＳ）、フラッシング回復動作時の昇温速度が比較的速いと判定し、Ｓ５０９に進む。Ｓ５０９では、各昇温回復のトリガー温度の中で四番目に低い６５℃に設定されるとともに、トリガー温度決定シーケンスが終了される。一方、フラッシングセルの隣接がない場合（Ｓ５０８：ＮＯ）、フラッシング回復動作時の昇温速度が比較的遅いと判定し、Ｓ５１０に進む。Ｓ５１０では、各昇温回復のトリガー温度の中で五番目に低い７０℃に設定されるとともに、トリガー温度決定シーケンスが終了される。
【００５９】
本実施形態におけるフラッシングドットカウントの所定値は、例示として、４つ、３つ及び２つとするものであるが、これに限らず、セルの分割数等に応じて適宜設定して良い。また、本実施形態における昇温回復のトリガー温度は、例示として、５０℃、５５℃、６０℃、６５℃、７０℃及び７５℃とするものであるが、これに限らず、本体構成、記録ヘッド構成等に応じて昇温不吐を発生させない温度であれば適宜設定して良い。このように、本実施形態におけるトリガー温度決定シーケンスは、フラッシングセル数と、フラッシングセルが隣接又は非隣接の状態であるのかに応じて、昇温回復のトリガー温度を最適化する。これにより、フラッシングシーケンスが、昇温不吐が発生していない状態で確実に行われるとともに、フラッシング回復を最短時間、かつ、効率的に行うことができる。
【００６０】
（第２の実施形態）
本発明の第２の実施形態について説明する。第２の実施形態のフラッシング回復シーケンスは、第１の実施形態のフラッシング回復シーケンスと基本的に同一である。よって、以下では、図６を用いて、第１の実施形態と異なるフラッシングシーケンス（Ｓ４０９）を中心に第２の実施形態を説明する。この第２の実施形態におけるフラッシングシーケンスは、フラッシングセルが複数（ここでは、例示として４つ）ある場合、記録装置１００が使用されている環境温度に応じて、フラッシングシーケンスを同時に行うフラッシングセルの組合せを調整するものである。
【００６１】
＜フラッシングシーケンス＞
Ｓ６０１〜Ｓ６０２では、フラッシングセル数を４つとする命令を受信すると、記録装置１００が使用されている環境温度を温湿度センサ２１１から取得する。その後、Ｓ６０３に進む。
【００６２】
Ｓ６０３では、記録装置１００が使用されている環境温度を所定値（例えば、３５℃）と比較する。記録装置１００が使用されている環境温度が３５℃以上である場合（ＹＥＳ）、環境温度が高いため、フラッシング回復を実行することにより、昇温回復のトリガー温度に比較的速く到達すると判定し、Ｓ６０４〜Ｓ６０５に進む。Ｓ６０４〜Ｓ６０５では、まず、セルＳ１及びＳ３に対するフラッシングシーケンスが同時に行われ、次に、セルＳ２及びＳ４に対するフラッシングシーケンスが同時に行われた後、フラッシングシーケンスが終了される。このように、フラッシングシーケンスを同時に行うフラッシングセルを少なくするとともに、同時に行うフラッシングシーケンス同士を離間させることにより、フラッシング回復動作時のインクの供給量を中程度とし、昇温速度が比較的遅くすることができる。よって、本実施形態のフラッシングシーケンスにおいては、記録ヘッド温度が昇温回復のトリガー温度に達するまでの時間を比較的長くすることができるため、昇温回復の実行回数を減らすことができ、フラッシング回復シーケンスの時間を短縮することができる。一方、記録装置１００が使用されている環境温度が３５℃未満である場合（ＮＯ）、環境温度が低いため、フラッシング回復を実行しても、記録ヘッド温度が直ぐには昇温回復のトリガー温度に達しないと判定し、Ｓ６０６に進む。Ｓ６０６では、４つのセル（Ｓ１〜Ｓ４）に対するフラッシングシーケンスが同時に行われた後、フラッシングシーケンスが終了される。
【００６３】
本実施形態のフラッシングシーケンスは、フラッシングセル数を４つとするものであるが、これに限らず、セルの分割数や環境温度等に応じて、フラッシングセル数を適宜設定して良い。また、本実施形態における記録装置１００が使用されている環境温度の所定値は、例示として、３５℃とするものであるが、これに限らず、本体構成、記録ヘッド構成等に応じて適宜設定して良い。さらに、本実施形態におけるフラッシングシーケンスを同時に行うフラッシングセルの組合せは、例示として、セルＳ１及びＳ３、セルＳ２及びＳ４とするものである。しかしながら、これに限らず、セルの分割数に応じて、複数のフラッシングセルを隣接しないフラッシングセルの組み合わせに分割しても良い。
【００６４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６５】
１００    インクジェット記録装置
１０１    連続用紙
１０２    ホストコンピュータ
１１０    給紙ユニット
１２０    搬送ユニット
１３０    記録ユニット
１３１，１３１Ｂｋ，１３１Ｃ，１３１Ｍ，１３１Ｙ    記録ヘッド
１３２    吐出ノズル
１３３，１３３Ｂｋ、１３３Ｃ、１３３Ｍ、１３３Ｙ    キャップ
１３６，１３６Ｂｋ、１３６Ｃ、１３６Ｍ、１３６Ｙ  インクタンク
１３７    ヘッド温度検出センサ
２００    制御ユニット
２１１    温湿度センサ
Ｓ１〜Ｓ４    セル
Ｔｎ１，Ｔｎ２    不吐温度
【図１】
2020090023.tif 000003
【図２】
2020090023.tif 000004
【図３】
2020090023.tif 000005
【図４】
2020090023.tif 000006
【図５】
2020090023.tif 000007
【図６】
2020090023.tif 000008